(57)【要約】【課題】操作対象に直接手指を触れずに接触操作を行うことができ、且つ利便性及び美観に優れた操作補助具を提供する。【解決手段】  操作補助具１０は、ユーザが手で持って操作対象に接触させる操作部２０と、操作部２０と連結されたライン部３０と、ライン部３０を巻き取るリール部４０と、リール部４０と連結されたストラップ部５０と、を備える。ライン部３０は、リール部４０から引き出し可能である。リール部４０の表面には、例えば光沢を有する複数のラインストーン４４からなる装飾部４３が設けられる。【選択図】      図１
0003229915.tif 000002
【実用新案登録請求の範囲】
【請求項１】
ユーザによる接触操作を補助する操作補助具であって、
ユーザが手で持って操作対象に接触させる操作部と、
前記操作部と連結されたライン部と、
前記ライン部を引き出し可能であり、かつ巻き取り可能であるリール部と、
前記リール部と連結されたストラップ部と、
を備える、操作補助具。
【請求項２】
前記リール部は、前記ライン部を巻き取り方向に付勢する付勢部材を有する、請求項１に記載の操作補助具。
【請求項３】
前記リール部の表面に装飾部を有する、請求項１又２に記載の操作補助具。
【考案の詳細な説明】
【技術分野】
【０００１】
本考案は、操作補助具に関する。
【背景技術】
【０００２】
各種機器に設けられたプッシュボタンを操作する際に、マニキュアで指の爪を長くしている場合など、ボタン操作が困難な場合がある。
【０００３】
このため、例えば特許文献１の考案では、Ｕ字型のプッシュボタン操作部を備える指リングによって、上記の不便の解消を図っている。
【先行技術文献】
【特許文献】
【０００４】
【特許文献１】実開昭６２−１１２８２３号公報
【考案の概要】
【考案が解決しようとする課題】
【０００５】
ところで、プッシュボタン操作等の操作対象への接触を伴う操作（以下、「接触操作」という。）を行うにあたり、操作対象が不特定多数の人が触れるものである場合、感染症予防の観点からは、操作対象に極力手指を触れないことが望ましい。
【０００６】
上記特許文献１の考案によれば、操作対象に直接手指を触れずに接触操作を行うことができる。しかしながら、指リングの携帯時には、例えば鞄の中に入れておくことが想定されるが、使用時に鞄の中から取り出さなければならず手間である。また、指リングを紛失してしまうおそれもある。
【０００７】
対策としては、例えば鞄の持ち手に指リングを繋げておくことが考えられる。しかし、指リングの構造上、そのままでは鞄の持ち手と繋ぐことができない。また、紐を用いて繋いだ場合には、指リングを使える範囲が紐の長さによって制限される。そこで、紐を長くすると、絡まるなどして煩わしい上、見栄えも悪くなる。
【０００８】
本考案は、上記課題に鑑みてなされたものであり、操作対象に直接手指を触れずに接触操作を行うことができ、且つ利便性及び美観に優れた操作補助具を提供することを主たる目的とするものである。
【課題を解決するための手段】
【０００９】
上記課題を解決すべく、第１の考案の操作補助具は、ユーザによる接触操作を補助する操作補助具であって、
ユーザが手で持って操作対象に接触させる操作部と、
前記操作部と連結されたライン部と、
前記ライン部を引き出し可能であり、かつ巻き取り可能であるリール部と、
前記リール部と連結されたストラップ部と、
を備えることを特徴とする。
【００１０】
上記構成によれば、ユーザは、接触操作を行う際に、操作部を手で持って操作対象に押し当てるようにする。これにより、操作対象に直接手指を触れずに接触操作を行うことができる。このため、感染症の予防に効果的である。
【００１１】
また、ストラップ部を、ユーザの鞄等に繋いでぶら下げることができるため、携帯性に優れる。
【００１２】
さらに、操作補助具の使用時には、ライン部をリール部から引き出すことで、ストラップ部を鞄等に繋いだままでも、操作部を操作対象まで到達させやすくなるため、使い勝手が良い。一方、携帯時には、ライン部をリール部に巻き取っておくことで、ライン部が絡まることを抑制でき、見た目にもすっきりする。
【００１３】
第２の考案の操作補助具は、第１の考案において、前記リール部は、前記ライン部を巻き取り方向に付勢する付勢部材を有することを特徴とする。
【００１４】
上記構成によれば、ユーザが操作部から手を離すと、付勢部材によってライン部がリール部に自動で巻き取られるため、便利である。
【００１５】
第３の考案の操作補助具は、第１又は第２の考案において、前記リール部の表面に装飾部を有することを特徴とする。
【００１６】
上記構成によれば、リール部はライン部を巻き取って収容するために比較的大きな筐体になりやすいため、リール部が単に機能を重視するものである場合にはユーザが携帯しようとする動機が低くなる。この点、リール部に設けられた装飾部によって、操作補助具は美観に優れたものとなる。このため、操作補助具を鞄等にぶら下げて携帯する場合に見映えが良く、装飾効果が期待できる。
【図面の簡単な説明】
【００１７】
【図１】本考案の一実施形態である補助具の外観図。
【考案を実施するための形態】
【００１８】
以下に、本考案の一実施形態である操作補助具について図面を参照しつつ説明する。
【００１９】
図１に示すように、本考案の操作補助具１０は、操作部２０と、ライン部３０と、リール部４０と、ストラップ部５０とを備える。
【００２０】
操作部２０は、持ち手部２１と、接触部２２と、突部２３とを有する。持ち手部２１は、長尺状に形成され、先端部には、ゴム製で半球状をなす接触部２２が設けられている。詳しくは、接触部２２の半球の断面部と、持ち手部２１の先端部とが当接した状態で接着されている。また、持ち手部２１の基端部には、突部２３が設けられている。突部２３には、その側面部を貫通するように操作部側貫通孔２４が設けられている。
【００２１】
ライン部３０は、ワイヤ３１と接続部３２とを有する。接続部３２は、ワイヤ３１の先端部に設けられた円柱状の部材であり、その円柱の一方の底面には穴（図示略）が開いており、当該穴にワイヤ３１の先端部が差し込まれた状態で固定されている。接続部３２には、その側面部を貫通するようにライン部側貫通孔３３が設けられている。
【００２２】
ここで、操作部側貫通孔２４とライン部側貫通孔３３とには、第１リング６０aが挿通されている。すなわち、操作部２０とライン部３０とは第１リング６０aによって連結されている。
【００２３】
リール部４０は、リール本体部４１と、装飾部４３と、ヒートン４５とを有する。リール本体部４１は、中空の円柱形状をなし、その内部にワイヤ３１を巻き取るようになっている。リール本体部４１の側面部には、リール本体部４１の内外を貫通する出し入れ口４２が設けられている。出し入れ口４２からはワイヤ３１が導出されており、ワイヤ３１の接続部３２がリール本体部４１の外部に出た状態となっている。リール本体部４１の内部には、渦巻きばね（図示しない）が設けられている。当該渦巻きばねは、ワイヤ３１の基端部と接続されており、ワイヤ３１をリール本体部４１への巻き取り方向に付勢する。
【００２４】
装飾部４３は、リール本体部４１の両外底面上にそれぞれ設けられた円形の領域である。装飾部４３は、光沢を有する複数のラインストーン４４により構成されている。ラインストーン４４として、例えば大型ラインストーン４４a及び小型ラインストーン４４ｂの大小２種類が用いられる。そして、装飾部４３の中央に大型ラインストーン４４aを配置し、その周囲の領域に複数の小型ラインストーン４４ｂを敷き詰めた構成となっている。
【００２５】
ヒートン４５は、リール本体部４１の、出し入れ口４２と反対側の側面部に設けられている。
【００２６】
ストラップ部５０は、チェーン５１と、２つのカニカン５２とを有する。詳しくは、チェーン５１の両端部に２つのカニカン５２がそれぞれ設けられている。
【００２７】
ここで、ヒートン４５と２つのカニカン５２とには、第２リング６０ｂが挿通されている。すなわち、リール部４０とストラップ部５０とは第２リング６０ｂによって連結されている。
【００２８】
以上、詳述した本実施の形態によれば、以下の優れた効果が得られる。
【００２９】
操作部２０は、長尺状の持ち手部２１を有し、先端部にゴム製で半球状をなす接触部２２が設けられている。ユーザがプッシュボタン操作等の接触操作を行う際には、持ち手部２１を持って接触部２２を操作対象に押し当てることができる。このため、ユーザは操作対象に直接手指を触れずに接触操作を行うことができ、ひいては感染症の予防に効果的である。また、接触部２２がゴム製で半球状のものであることにより、操作対象を傷つけることを抑制できる。
【００３０】
ストラップ部５０は、チェーン５１と２つのカニカン５２とを有しており、当該カニカン５２によって第２リング６０ｂを介してリール部４０と連結されている。これにより、例えばユーザが鞄を所持している場合には、カニカン５２を第２リング６０ｂから取り外し、チェーン５１を鞄の持ち手に通し、再度カニカン５２を第２リング６０ｂに取り付けることで、操作補助具１０を鞄からぶら下げておくことができる。このため、携帯性に優れる。
【００３１】
リール部４０は、リール本体部４１の内部にワイヤ３１を巻き取り収納する。そして、ユーザが操作部２０を引っ張った際には、ワイヤ３１がリール本体部４１から引き出されるようになっている。これにより、操作補助具１０をストラップ部５０により鞄等に繋げたままでも、操作部２０を操作対象まで到達させやすくなるため、使い勝手が良い。
【００３２】
操作補助具１０を使用しない場合には、ワイヤ３１をリール本体部４１に巻き取っておくことで、ワイヤ３１が絡まることを抑制でき、見た目にもすっきりする。また、リール本体部４１には、ワイヤ３１を巻き取り方向に付勢する渦巻きばねが内蔵されている。これにより、ワイヤ３１に引き出し方向の力が加えられていない場合には、ワイヤ３１がリール本体部４１に自動的に巻き取られるようになっている。このため、ユーザが操作部２０から手を離すと、ワイヤ３１がリール本体部４１に自動で巻き取られるため便利である。
【００３３】
さらに、リール本体部４１には、その両外底面上に装飾部４３が設けられている。装飾部４３は、光沢を有する複数のラインストーン４４から構成される。これにより、操作補助具１０は美観に優れたものとなっている。このため、操作補助具１０を鞄にぶら下げて携帯する場合に見映えが良く、装飾効果が期待できる。また、鞄に入れて携帯する場合には、ラインストーン４４が光って目立つことで、鞄から取り出しやすい。
【００３４】
本考案は上記実施形態に限らず、例えば次のように実施されてもよい。
【００３５】
・操作部２０の形状については、ユーザが手で持って操作対象に的確に押し当てることができるものであれば、任意の形状とすることができる。また、手指に装着して使用するものであってもよい。
【００３６】
・操作補助具１０の操作対象については、プッシュボタン以外のものも想定される。例えばタッチパネルであってもよい。ただし、タッチパネル操作を想定する場合、操作部２０の接触部２２を構成する素材は、静電気を帯びることができるものであることが好ましい。
【００３７】
・ストラップ部５０について、チェーン５１に代えて紐によって構成してもよいし、カニカン５２を省略してもよい。なお、本考案におけるストラップ部の用語は、以上説明したチェーン５１や紐などの他、キーホルダ金具やキーフック、キーリングなども含んで、任意の取付対象に取付られる部材という意味で使用している。キーホルダ金具やキーフック、キーリングによってストラップ部を構成した場合、着衣のベルトループや、携帯端末などの携帯小物に取り付けたりすることもできる。
【符号の説明】
【００３８】
１０…操作補助具、２０…操作部、３０…ライン部、４０…リール部、５０…ストラップ部。
【図１】
0003229915.tif 000003